(57)【要約】【課題】例えばアルミ合金やマグネシュウム合金のような剛性の低い材料を用いた場合であっても、十分な剛性が得られ、シャーシ外装の変形による動作不良を防止することができるディスク装置を提供すること。【解決手段】ベース本体１０と蓋体とからシャーシ外装を構成し、シャーシ外装のフロント面には、ディスクを直接挿入するディスク挿入口１１を形成し、ベース本体１０には深底部２１０と浅底部３１０とを形成し、浅底部３１０を深底部２１０の側部に配置し、蓋体によって深底部２１０と浅底部３１０とを覆うディスク装置であって、蓋体のフロント面側端部には、ベース本体１０側に突出させた所定長さの第１の絞り溝１３６Ａと、第１の絞り溝１３６Ａと反対側に突出させた所定長さの第２の絞り溝１３６Ｂとを形成したことを特徴とするディスク装置。【選択図】        図４
2006107589.tif 000002
【特許請求の範囲】
【請求項１】
ベース本体と蓋体とからシャーシ外装を構成し、前記シャーシ外装のフロント面には、ディスクを直接挿入するディスク挿入口を形成し、前記ベース本体には深底部と浅底部とを形成し、前記浅底部を前記深底部の側部に配置し、前記蓋体によって前記深底部と前記浅底部とを覆うディスク装置であって、
前記蓋体のフロント面側端部には、前記ベース本体側に突出させた所定長さの第１の絞り溝と、前記第１の絞り溝と反対側に突出させた所定長さの第２の絞り溝とを形成したことを特徴とするディスク装置。
【請求項２】
前記第１の絞り溝を、中心部から端部に向かって漸次高くなるように形成したことを特徴とする請求項１に記載のディスク装置。
【請求項３】
前記蓋体の中央部には開口部を備え、前記開口部外周には前記ベース本体側に突出させたリング状絞り部を形成し、前記リング状絞り部を、前記開口部の外周に設けた第１のリング状絞り部と、前記第１のリング状絞り部の外周に設けた第２のリング状絞り部によって構成し、前記第１のリング状絞り部の突出高さを、前記第２のリング状絞り部の突出高さよりも高く形成したことを特徴とする請求項１に記載のディスク装置。
【請求項４】
前記ベース本体のフロント面側には、前記深底部と前記浅底部とに跨ってフロントガイダーを備え、前記フロントガイダーを、前記深底部と締結するとともに前記浅底部と締結することを特徴とする請求項１に記載のディスク装置。
【請求項５】
前記浅底部が、前記深底部と連接する連接端と、前記深底部と連接しない対向端と、前記連接端と前記対向端とに隣接する傾斜端とを有し、前記対向端に、前記蓋体側に延出させた立ち上げ部を形成し、前記立ち上げ部の上端に、前記深底部側に延出させた連結片を形成し、前記連結片によって前記ベース本体と前記蓋体とを締結することを特徴とする請求項１に記載のディスク装置。
【請求項６】
前記連結片を、前記傾斜端と連接する対向端端部に設けたことを特徴とする請求項５に記載のディスク装置。
【請求項７】
前記傾斜端の一部に、前記蓋体と当接する立ち上げ部を形成したことを特徴とする請求項５に記載のディスク装置。
【請求項８】
前記深底部のリア面側の側壁上端に、前記深底部面と平行な連結片を形成し、前記連結片によって前記ベース本体と前記蓋体とを締結することを特徴とする請求項１に記載のディスク装置。
【請求項９】
前記連結片を、前記浅底部側の隅部に設けたことを特徴とする請求項８に記載のディスク装置。
【請求項１０】
前記蓋体のリア面側の側壁中央部に、前記ベース本体のリア面側の側壁と係合するフックを設けたことを特徴とする請求項１に記載のディスク装置。
【請求項１１】
前記蓋体の前記深底部側の側壁に、前記ベース本体の側壁と係合するフックを設けたことを特徴とする請求項１に記載のディスク装置。
【発明の詳細な説明】
【技術分野】
【０００１】
本発明は、ＣＤやＤＶＤなどのディスク状の記録媒体への記録、または再生を行うディスク装置に関し、特に外部からディスクを直接挿入し、または直接排出できる、いわゆるスロットイン方式のディスク装置に関する。
【背景技術】
【０００２】
従来のディスク装置は、トレイまたはターンテーブル上にディスクを載置し、このトレイやターンテーブルを装置本体内に装着するローディング方式が多く採用されている。
しかし、このようなローディング方式では、トレイやターンテーブルが必要な分、ディスク装置本体を薄型化するには限度がある。
一方、スロットイン方式のディスク装置としては、ディスク面に搬送ローラを当接させてディスクを引き込む方式が提案されている（例えば特許文献１）。
また、薄型化と小型化を図ることができるスロットイン方式のディスク装置として、ディスク挿入口側にトラバースを、コネクタ側にプリント基板をそれぞれ配置し、スピンドルモータがベース本体の中央部に位置し、ピックアップの往復動範囲がスピンドルモータよりもディスク挿入口側に位置し、ピックアップの往復移動方向がディスクの挿入方向と異なるようにトラバースを配設して動作させ、スピンドルモータをベース本体側または蓋体側に近接させる装置がある（例えば特許文献２）。
【特許文献１】特開平７−２２０３５３号公報
【特許文献２】特開２００２−３５２４９８号公報
【発明の開示】
【発明が解決しようとする課題】
【０００３】
しかし、例えば特許文献１で提案されているようなスロットイン方式では、ディスク直径より長い搬送ローラを用いるために、装置幅を広くしなければならず、さらにこの搬送ローラによって厚みも増してしまう。
従って、このようなスロットイン方式のディスク装置では、ディスク装置本体の薄型化や小型化を図ることは困難である。
一方、特許文献２における装置では、薄型化と小型化を図ることができるが、更に薄型化と小型化、軽量化を図るために、シャーシ外装にアルミ合金やマグネシュウム合金を利用する場合には、シャーシ外装の剛性を高める必要がある。
【０００４】
そこで本発明は、例えばアルミ合金やマグネシュウム合金のような剛性の低い材料を用いた場合であっても、十分な剛性が得られ、シャーシ外装の変形による動作不良を防止することができるディスク装置を提供することを目的とする。
【課題を解決するための手段】
【０００５】
請求項１記載の本発明のディスク装置は、ベース本体と蓋体とからシャーシ外装を構成し、前記シャーシ外装のフロント面には、ディスクを直接挿入するディスク挿入口を形成し、前記ベース本体には深底部と浅底部とを形成し、前記浅底部を前記深底部の側部に配置し、前記蓋体によって前記深底部と前記浅底部とを覆うディスク装置であって、前記蓋体のフロント面側端部には、前記ベース本体側に突出させた所定長さの第１の絞り溝と、前記第１の絞り溝と反対側に突出させた所定長さの第２の絞り溝とを形成したことを特徴とする。
請求項２記載の本発明は、請求項１に記載のディスク装置において、前記第１の絞り溝を、中心部から端部に向かって漸次高くなるように形成したことを特徴とする。
請求項３記載の本発明は、請求項１に記載のディスク装置において、前記蓋体の中央部には開口部を備え、前記開口部外周には前記ベース本体側に突出させたリング状絞り部を形成し、前記リング状絞り部を、前記開口部の外周に設けた第１のリング状絞り部と、前記第１のリング状絞り部の外周に設けた第２のリング状絞り部によって構成し、前記第１のリング状絞り部の突出高さを、前記第２のリング状絞り部の突出高さよりも高く形成したことを特徴とする。
請求項４記載の本発明は、請求項１に記載のディスク装置において、前記ベース本体のフロント面側には、前記深底部と前記浅底部とに跨ってフロントガイダーを備え、前記フロントガイダーを、前記深底部と締結するとともに前記浅底部と締結することを特徴とする。
請求項５記載の本発明は、請求項１に記載のディスク装置において、前記浅底部が、前記深底部と連接する連接端と、前記深底部と連接しない対向端と、前記連接端と前記対向端とに隣接する傾斜端とを有し、前記対向端に、前記蓋体側に延出させた立ち上げ部を形成し、前記立ち上げ部の上端に、前記深底部側に延出させた連結片を形成し、前記連結片によって前記ベース本体と前記蓋体とを締結することを特徴とする。
請求項６記載の本発明は、請求項５に記載のディスク装置において、前記連結片を、前記傾斜端と連接する対向端端部に設けたことを特徴とする。
請求項７記載の本発明は、請求項５に記載のディスク装置において、前記傾斜端の一部に、前記蓋体と当接する立ち上げ部を形成したことを特徴とする。
請求項８記載の本発明は、請求項１に記載のディスク装置において、前記深底部のリア面側の側壁上端に、前記深底部面と平行な連結片を形成し、前記連結片によって前記ベース本体と前記蓋体とを締結することを特徴とする。
請求項９記載の本発明は、請求項８に記載のディスク装置において、前記連結片を、前記浅底部側の隅部に設けたことを特徴とする。
請求項１０記載の本発明は、請求項１に記載のディスク装置において、前記蓋体のリア面側の側壁中央部に、前記ベース本体のリア面側の側壁と係合するフックを設けたことを特徴とする。
請求項１１記載の本発明は、請求項１に記載のディスク装置において、前記蓋体の前記深底部側の側壁に、前記ベース本体の側壁と係合するフックを設けたことを特徴とする。
【発明の効果】
【０００６】
本発明によれば、シャーシ外装の剛性を構造的に確保することでシャーシ外装の変形による動作不良を防止することができ、更に薄型化と小型化、軽量化を図ることができる。
【発明を実施するための最良の形態】
【０００７】
本発明の第１の実施の形態によるディスク装置は、蓋体のフロント面側端部には、ベース本体側に突出させた所定長さの第１の絞り溝と、第１の絞り溝と反対側に突出させた所定長さの第２の絞り溝とを形成したものである。本実施の形態によれば、側壁を持たない蓋体のフロント面側端部に、所定長さの第１の絞り溝と、この第１の絞り溝と反対側に突出させた所定長さの第２の絞り溝とを形成することで、蓋体のフロント面側端部の曲げに対する剛性を高めることができる。曲げに対する剛性を高めることで、特にディスクのチャッキング動作を安定して行わせることができる。
本発明の第２の実施の形態は、第１の実施の形態によるディスク装置において、第１の絞り溝を、中心部から端部に向かって漸次高くなるように形成したものである。本実施の形態によれば、端部における溝高さを高く形成することで、同じ高さの溝を形成する場合と比較して曲げに対する剛性を高めることができるとともに、ディスクの挿入時や排出時に第１の絞り溝の両端部においてディスクを案内することができるので、ディスクの記録面を損傷させることなく、スムーズな動作を行わせることができる。
本発明の第３の実施の形態は、第１の実施の形態によるディスク装置において、開口部外周にはベース本体側に突出させたリング状絞り部を形成し、リング状絞り部を、開口部の外周に設けた第１のリング状絞り部と、第１のリング状絞り部の外周に設けた第２のリング状絞り部によって構成し、第１のリング状絞り部の突出高さを、第２のリング状絞り部の突出高さよりも高く形成したものである。本実施の形態によれば、二重のリング状絞り部によって蓋体の曲げに対する剛性を高めることができるとともに、仮にディスクのチャッキング時に蓋体に変形が生じたとしても、第１のリング状絞り部が第２のリング状絞り部よりも高いため、ディスクを確実に押さえ込み、安定したチャッキング動作を行わせることができる。
本発明の第４の実施の形態は、第１の実施の形態によるディスク装置において、ベース本体のフロント面側には、深底部と浅底部とに跨ってフロントガイダーを備え、フロントガイダーを、深底部と締結するとともに浅底部と締結するものである。本実施の形態によれば、ディスクを案内するためのフロントガイダーを利用して、浅底部の変形を防止することができる。
本発明の第５の実施の形態は、第１の実施の形態によるディスク装置において、対向端に、蓋体側に延出させた立ち上げ部を形成し、立ち上げ部の上端に、深底部側に延出させた連結片を形成し、連結片によってベース本体と蓋体とを締結するものである。本実施の形態によれば、蓋体との連結によって特に浅底部の剛性を高めることができる。
本発明の第６の実施の形態は、第５の実施の形態によるディスク装置において、連結片を、傾斜端と連接する対向端端部に設けたものである。本実施の形態によれば、更に浅底部の剛性を高めることができ、特にチャッキング時における蓋体の浮き上がりを防止することができる。
本発明の第７の実施の形態は、第５の実施の形態によるディスク装置において、傾斜端の一部に、蓋体と当接する立ち上げ部を形成したものである。本実施の形態によれば、傾斜端における剛性を高めることができる。
本発明の第８の実施の形態は、第１の実施の形態によるディスク装置において、深底部のリア面側の側壁上端に、深底部面と平行な連結片を形成し、連結片によってベース本体と蓋体とを締結するものである。本実施の形態によれば、特にチャッキング時における蓋体の浮き上がりを防止することができる。
本発明の第９の実施の形態は、第８の実施の形態によるディスク装置において、連結片を、浅底部側の隅部に設けたものである。本実施の形態によれば、特に浅底部の剛性を高めることができる。
本発明の第１０の実施の形態は、第１の実施の形態によるディスク装置において、蓋体のリア面側の側壁中央部に、ベース本体のリア面側の側壁と係合するフックを設けたものである。本実施の形態によれば、特にチャッキング時における蓋体の浮き上がりを防止することができる。
本発明の第１１の実施の形態は、第１の実施の形態によるディスク装置において、蓋体の深底部側の側壁に、ベース本体の側壁と係合するフックを設けたものである。本実施の形態によれば、特にチャッキング時における蓋体の浮き上がりを防止することができる。
【実施例】
【０００８】
以下本発明の一実施例によるディスク装置について説明する。
図１は本実施例によるディスク装置のベース本体の要部平面図、図２は同ディスク装置の上面図、図３は同ディスク装置のシャーシ外装のフロント面に装着されるベゼルの正面図、図４は同ディスク装置のシャーシ外装の分解斜視図、図５は同ディスク装置のシャーシ外装の分解背面図、図６は同ディスク装置のシャーシ外装の背面図、図７は同ディスク装置のシャーシ外装の分解側面図、図８は同ディスク装置のシャーシ外装の側面図である。
本実施例によるディスク装置は、ベース本体と蓋体とからシャーシ外装が構成され、このシャーシ外装のフロント面にベゼルが装着される。また本実施例によるディスク装置は、図３に示すベゼルに設けたディスク挿入口からディスクを直接挿入するスロットイン方式のディスク装置である。
【０００９】
図１に示すように、ディスクへの記録再生機能やディスクのローディング機能を行う各部品は、ベース本体１０に装着される。
ベース本体１０には、深底部２１０と浅底部３１０が形成され、浅底部３１０によってフロント面からリア面に至るウイング部が形成されている。
ベース本体１０のフロント側にはディスクを直接挿入するディスク挿入口１１を形成し、ベース本体１０のリア面の端部にはコネクタ１２を配設している。ベース本体１０のディスク挿入口１１側にはトラバース３０が配置され、ベース本体１０のコネクタ１２側にはリアベース１３が配置されている。トラバース３０とリアベース１３とは互いが重ならないように配置されている。リアベース１３のベース本体１０面側にはプリント基板１４が設けられている。
【００１０】
トラバース３０は、スピンドルモータ３１とピックアップ３２とピックアップ３２を移動させる駆動手段３３とを保持している。スピンドルモータ３１はトラバース３０の一端側に設けられ、ピックアップ３２はトラバース３０の一端側から他端側までを移動可能に設けられている。またピックアップ３２は停止時にはトラバース３０の他端側に配置される。駆動手段３３は、駆動モータと、ピックアップ３２を摺動させる一対のレールと、駆動モータの駆動をピックアップ３２に伝達する歯車機構とを有し、一対のレールはトラバース３０の一端側と他端側とを連接するように両側部に配置されている。駆動モータはディスク挿入口１１側のレールの外方に、駆動軸がレールと平行になるように配置されている。歯車機構は、この駆動モータとディスク挿入口１１側のレールとの間の空間に配置されている。
【００１１】
トラバース３０には、スピンドルモータ３１がベース本体１０の中央部に位置し、またピックアップ３２の往復動範囲がスピンドルモータ３１よりもディスク挿入口１１側に位置し、またピックアップ３２の往復移動方向がディスクの挿入方向と異なるように配設されている。ここで、ピックアップ３２の往復移動方向とディスクの挿入方向とは、４０〜４５度の角度としている。
トラバース３０は、一対のインシュレータ３４Ａ、３４Ｂによってベース本体１０に支持されている。
一対のインシュレータ３４Ａ、３４Ｂは、スピンドルモータ３１の位置よりもピックアップ３２の静止位置側に配設し、ピックアップ３２の静止位置よりもディスク挿入口１１側の位置に配設することが好ましい。本実施例では、インシュレータ３４Ａはディスク挿入口１１の内側近傍の一端側に、インシュレータ３４Ｂはディスク挿入口１１の内側近傍の中央部に設けている。インシュレータ３４Ａ、３４Ｂは、弾性材料からなるダンパー機構を備えている。インシュレータ３４Ａ、３４Ｂは、このダンパー機構によって、トラバース３０がベース本体１０から離間する方向に変位することができる。
【００１２】
トラバース３０のベース本体１０側の面には、リブ３５を設けている。このリブ３５は、ディスク挿入口１１と反対のレールの外方であって、ピックアップ３２の静止位置側に設けている。またこのリブ３５は、トラバース３０をベース本体１０側に近接させた時に、ベース本体１０に当接することで、インシュレータ３４Ａ、３４Ｂの位置でトラバース３０をベース本体１０から離間する方向に変位させるに十分な高さを有している。なお、本実施例では、リブ３５をトラバース３０のベース本体１０側の面に設けた場合で説明したが、ベース本体１０のトラバース３０側の面に設けてもよい。またトラバース３０のベース本体１０側の面と、ベース本体１０のトラバース３０側の面の双方に設けてもよい。また本実施例ではトラバース３０のベース本体１０側への近接動作を利用して、インシュレータ３４Ａ、３４Ｂ側のトラバース３０を上昇させる構成としたが、インシュレータ３４Ａ、３４Ｂの位置でのトラバース３０の高さを変更する他の手段、例えばインシュレータ３４Ａ、３４Ｂの高さを変更する手段によって実現することもできる。
なお、トラバース３０は、インシュレータ３４Ａ、３４Ｂを支点として、スピンドルモータ３１をベース本体１０と近接離間させるように動作する。
【００１３】
以下に、このトラバース３０を動作させるカム機構を備えたメインスライダー４０とサブスライダー５０について説明する。
トラバース３０を変位させるカム機構は、メインスライダー４０とサブスライダー５０にそれぞれ設けている。ここで、メインスライダー４０とサブスライダー５０とは、スピンドルモータ３１の側方に位置するように配設されている。メインスライダー４０は、その一端がベース本体１０のフロント面側、その他端がベース本体１０のリア面側となる方向に配設されている。また、サブスライダー５０は、トラバース３０とリアベース１３との間に、メインスライダー４０と直交する方向に配設されている。
トラバース３０を変位させるカム機構は、第１のカム機構４１と第２のカム機構５１によって構成される。第１のカム機構４１は、メインスライダー４０のスピンドルモータ３１側の面に、第２のカム機構５１は、サブスライダー５０のスピンドルモータ３１側の面にそれぞれ設けられている。
なお、メインスライダー４０とトラバース３０との間にはベース部材１５が設けられ、サブスライダー５０とトラバース３０との間にはベース部材１６が設けられている。ここでベース部材１５とベース部材１６はベース本体１０に固定され、ベース部材１５に設けた縦溝によってトラバース３０のカムピン３６を位置規制し、ベース部材１６に設けた縦溝によってトラバース３０のカムピン３７を位置規制している。
ここで、ベース部材１６とサブスライダー５０とは、第３のカム機構（図１では図示せず）によって連結している。そしてこの第３のカム機構は、第２のカム機構５１によってトラバース３０をベース本体１０に対して離間する方向に移動させる時に、サブスライダー５０をベース本体１０に対して離間する方向に移動させる機能を備えている。
【００１４】
メインスライダー４０の一端側にはローディングモータ６０が配設されている。ローディングモータ６０の駆動軸６１とメインスライダー４０の一端側とは歯車機構を介して連結されている。なお、ローディングモータ６０の駆動軸６１には歯車機構を構成するウオームギア６２が設けられている。
ローディングモータ６０は、その本体がディスク挿入口１１の中央部に、駆動軸６１がディスク挿入口１１の端部側に、それぞれが位置するように配設されている。
そして、ローディングモータ６０は、その駆動軸６１側がディスク挿入口１１に挿入されるディスクに近接するように傾けてあり、ローディングモータ６０本体のディスク挿入口１１側がディスクに近接するように傾けてある。すなわち、ローディングモータ６０は、図１に示す「Ａ」の位置が、最も蓋体側に突出した状態となるように設けられている。このようにローディングモータ６０を傾斜させて設置することで、ディスクの取り出し時にディスク面に傾きが生じたとしても、ディスク外周端がローディングモータ６０本体の「Ａ」の箇所にあたることになり、ディスク内周面がローディングモータ６０本体にあたることを防止することができる。なお、ローディングモータ６０は、その駆動軸６１側がディスク挿入口１１に挿入されるディスクに近接するように傾けるか、又はローディングモータ６０本体のディスク挿入口１１側がディスクに近接するように傾けるか、いずれか一方の傾きでも効果はある。
【００１５】
このローディングモータ６０の駆動によってメインスライダー４０を長手方向に摺動させることができる。またメインスライダー４０は、カムレバー７０によってサブスライダー５０と連結している。
カムレバー７０は回動支点７１を有し、ピン７２及びピン７３でメインスライダー４０の上面に設けたカム溝と係合し、ピン７４でサブスライダー５０の上面に設けたカム溝と係合している。
このカムレバー７０は、メインスライダー４０の第１のカム機構４１によってトラバース３０を変位させるタイミングで、サブスライダー５０を移動させ、サブスライダー５０の移動によって第２のカム機構５１を動作させてトラバース３０を変位させる機能を有する。
【００１６】
以上説明した、コネクタ１２、トラバース３０、リアベース１３、プリント基板１４、インシュレータ３４Ａ、３４Ｂ、メインスライダー４０、サブスライダー５０、ベース部材１５、ベース部材１６、及びローディングモータ６０は、ベース本体１０の深底部２１０に設けられ、これらの部材と蓋体との間に、ディスク挿入空間を形成する。
【００１７】
次に、ディスクを挿入する時にディスクを支持するガイド部材と、ディスクを挿入する時に動作するレバー部材について説明する。
深底部２１０のディスク挿入口１１近傍の一端側には、所定長さの第１のディスクガイド１７が設けられている。この第１のディスクガイド１７は、ディスク挿入側から見た断面が、「コ」の字状の溝を有している。この溝によってディスクは支持される。
一方、ディスク挿入口１１の他端側のベース本体１０内には、引き込みレバー８０が設けられ、この引き込みレバー８０の可動側端部に第２のディスクガイド８１を備えている。第２のディスクガイド８１は、円筒状のローラで構成され、引き込みレバー８０の可動側端部に回動自在に設けられている。また、第２のディスクガイド８１のローラ外周には溝が形成され、この溝によってディスクは支持される。
引き込みレバー８０は、可動側端部が固定側端部よりもディスク挿入口１１側で動作するように配置され、固定側端部に回動支点８２を有している。
また、引き込みレバー８０の裏面（ベース本体１０側の面）の可動側端部と固定側端部との間には長溝８３が設けられている。一方、引き込みレバー８０の表面の可動側端部と固定側端部との間には所定長さの第３のディスクガイド８４が設けられている。
【００１８】
引き込みレバー８０は、サブレバー９０によって動作する。
サブレバー９０は、可動側の一端に凸部９１を備え、他端側に回動支点９２を備えている。サブレバー９０の凸部９１は、引き込みレバー８０の長溝８３内を摺動する。また、サブレバー９０の回動支点９２は、メインスライダー４０上に位置している。なお、回動支点９２は、メインスライダー４０とは連動せず、ベース本体１０にベース部材１５を介して固定されている。またサブレバー９０の回動支点９２よりも凸部９１側の下面には、ピン９３を備えている。このピン９３は、メインスライダー４０の上面に設けられたカム溝内を摺動する。従って、サブレバー９０は、メインスライダー４０の移動にともなって角度が変更され、このサブレバー９０の角度の変更によって引き込みレバー８０の旋回角度を変更する。すなわち、サブレバー９０の動作によって、引き込みレバー８０の第２のディスクガイド８１がスピンドルモータ３１に近接離間するように動作する。なお、引き込みレバー８０の可動側端部に近い側の長溝８３の端部には、サブレバー９０の旋回方向に延びる溝８３Ａが設けられている。この溝８３Ａによって、第２のディスクガイド８１がディスクを最も引き込んだ時に、サブレバー９０の旋回角度にばらつきが発生しても、引き込みレバー８０の旋回角度にはばらつきが発生せず、ディスク引き込み量を安定させることができる。
【００１９】
ベース本体１０の引き込みレバー８０と異なる側部には、排出レバー１００が設けられている。この排出レバー１００の一端側の可動側端部にはガイド１０１が設けられている。また、排出レバー１００の他端側には、回動支点１０２が設けられている。また、排出レバー１００の可動側端部には、ガイド１０１よりもリア面側に当接部１０３が設けられている。また、排出レバー１００には、弾性体１０４が設けられている。この弾性体１０４の一端は排出レバー１００に固定されており、他端はリアベース１３に固定されている。当接部１０３は、弾性体１０４によってリア面側に引き込まれた場合に、リアベース１３の当接部１３Ａと当接する。また排出レバー１００は、弾性体１０４の弾性力によってディスク挿入口１１側に引き出される。なお、排出レバー１００は、リンクアーム１０５と排出スライダー１０６を介してメインスライダー４０の動きと連動して動作する。ここでリンクアーム１０５は、メインスライダー４０と排出スライダー１０６とを連接し、排出レバー１００はカムピンによって排出スライダー１０６のカム溝と係合している。
ベース本体１０のリア面側には規制レバー１１０が設けられている。この規制レバー１１０はリア面側端部を回動支点１１１とし、可動側端部にガイド１１２を備えている。この規制レバー１１０は、弾性体１１３によってガイド１１２側が常にフロント側に突出するように付勢されている。また、この規制レバー１１０は所定位置でリミットスイッチを動作させる。すなわち、ディスクが所定位置まで挿入されると、リミットスイッチがオフし、ローディングモータ６０を駆動する。このローディングモータ６０の駆動によって、メインスライダー４０が摺動する。
また、排出レバー１００と同じ側のベース本体１０の側部には、ガイドレバー１８０が設けられている。ガイドレバー１８０は、リア面側を回動支点１８１とし、可動側にガイド１８２を備えている。このガイドレバー１８０は、弾性体１８３によってガイド１８２側がディスク側に突出するように付勢されている。また、このガイドレバー１８０は、リンクアーム１０５と排出スライダー１０６を介してメインスライダー４０と連動し、このメインスライダー４０の動きに応じて、ガイド１８２側がディスクから離間するように動作する。
【００２０】
またスピンドルモータ３１の近傍のトラバース３０には開口部を備え、この開口部には、ベース本体１０から蓋体に向かって突出したピン１８を設けている。このピン１８は、トラバース３０が最もベース本体１０側に移動した状態では、スピンドルモータ３１のハブよりも蓋体側に突出する高さであり、またトラバース３０がスピンドルモータ３１の駆動状態（再生録音可能な作動状態）では、スピンドルモータ３１のハブよりもベース本体１０側に引き込んだ高さである。ピン１８は、スピンドルモータ３１に装着されるディスクの中心部の非記録面に対応する位置であって、スピンドルモータ３１よりもインシュレータ３４から離れた位置に設けることが好ましい。
【００２１】
また、ベース本体１０のフロント側には、フロントガイダー２１とトラバースフェルト２２が設けられている。フロントガイダー２１は、ディスク挿入口１１の一端側であって、引き込みレバー８０とディスク挿入口１１との間に配置されている。またこのフロントガイダー２１は、ローディングモータ６０や歯車機構、メインスライダー４０の一部を覆うように、これらの部材よりも蓋体側に設けられている。このフロントガイダー２１は、挿入されるディスクの記録面全面が接触しないように周囲にテーパーが設けられ、表面がウレタンフッ素コーティングされている。また、フロントガイダー２１は、深底部２１０とビス２１Ａによって締結するとともに浅底部３１０とビス２１Ｂによって締結している。このように、フロントガイダー２１を、深底部２１０及び浅底部３１０とビス２１Ａ、２１Ｂによって締結することで、浅底部３１０の変形を防止することができる。
一方、トラバースフェルト２２は、ディスク挿入口１１の他端側であって、トラバース３０のディスク挿入口１１側を一部覆うように、トラバース３０よりも蓋体側に設けられている。このトラバースフェルト２２は、挿入されるディスクの記録面全面が接触しないように中央部が凸状になっており、フェルト材で構成されている。フロントガイダー２１とトラバースフェルト２２は、第１のディスクガイド１７や第２のディスクガイド８１では十分にディスクを支持できない場合に、ディスクの面方向への傾きによって記録面に傷が付くのを防止することができる。なお、フロントガイダー２１をフェルト材で構成し、トラバースフェルト２２をウレタンフッ素コーティングしたものを用いてもよい。
【００２２】
次に、図２を用いて同ディスク装置の蓋体について説明する。
蓋体１３０の外縁部には、複数のビス孔１３１が設けられ、蓋体１３０は、ビスによってベース本体１０に取り付けられる。
蓋体１３０の中央部には、開口部１３２が設けられている。この開口部１３２は、ディスクの中心孔よりも大きな半径の円形開口である。従って、ディスクの中心孔に嵌合するスピンドルモータ３１のハブよりも大きな開口である。
開口部１３２の外周部には、ベース本体１０側に突出させたリング状絞り部１３３が形成されている。このリング状絞り部１３３は、開口部１３２の外周に設けた第１のリング状絞り部１３３Ａと、第１のリング状絞り部１３３Ａの外周に設けた第２のリング状絞り部１３３Ｂによって構成し、第１のリング状絞り部１３３Ａの突出高さを、第２のリング状絞り部１３３Ｂの突出高さよりも高く形成している。また、第２のリング状絞り部１３３Ｂの径方向の幅は、第１のリング状絞り部１３３Ａの径方向の幅よりも大きな寸法で形成している。このように、二重のリング状絞り部１３３Ａ、１３３Ｂによって蓋体１３０の曲げに対する剛性を高めることができるとともに、仮にディスクのチャッキング時に蓋体１３０に変形が生じたとしても、第１のリング状絞り部１３３Ａが第２のリング状絞り部１３３Ｂよりも高いため、ディスクを確実に押さえ込み、安定したチャッキング動作を行わせることができる。また開口部１３２には、絞り部１３３からディスク挿入口１１側に向かって先細り形状をした絞り部１３４が設けられている。この絞り部１３４によって、ベース本体１０側に凸状ガイドを形成する。
【００２３】
また蓋体１３０には、複数の絞り部１３５Ａ、１３５Ｂ、１３５Ｃが形成され、これらの絞り部１３５Ａ、１３５Ｂ、１３５Ｃによってベース本体１０側に凸状ガイドを形成している。
更に蓋体１３０のフロント面側端部には、ベース本体１０側に突出させた所定長さの第１の絞り溝１３６Ａと、第１の絞り溝１３６Ａと反対側に突出させた所定長さの第２の絞り溝１３６Ｂとを隣接して形成している。第１の絞り溝１３６Ａと第２の絞り溝１３６Ｂは、ディスクの幅に相当する長さで連続する溝である。ここで、第１の絞り溝１３６Ａは、中心部から端部に向かって漸次高くなうように形成している。
これらの絞り部１３５Ａ、１３５Ｂ、１３５Ｃ、及び絞り溝１３６Ａ、１３６Ｂは、スピンドルモータ３１に装着された状態でのディスクの外周端よりも外方で、開口部１３２よりもディスク挿入口１１側に設けている。これらの絞り部１３５Ａ、１３５Ｂ、１３５Ｃ、及び絞り溝１３６Ａによって形成される凸状ガイドによって、ディスク挿入口１１から挿入されるディスクがガイドされる。またこれら絞り部１３３、１３４、１３５Ａ、１３５Ｂ、１３５Ｃ、及び絞り溝１３６Ａ、１３６Ｂによって蓋体１３０の強度を高めている。なお、絞り部１３５Ｂと絞り部１３５Ｃとは連続した一つの絞りでもよいが、複数に分割することで蓋体１３０の強度を更に高めることができる。
【００２４】
また、本実施例は、側壁を持たない蓋体１３０のフロント面側端部に、所定長さの第１の絞り溝１３６Ａと、この第１の絞り溝１３６Ａと反対側に突出させた所定長さの第２の絞り溝１３６Ｂとを形成することで、蓋体１３０のフロント面側端部の曲げに対する剛性を高めることができる。そして、曲げに対する剛性を高めることで、特にディスクのチャッキング動作を安定して行わせることができる。また、本実施例は、第１の絞り溝１３６Ａを端部における溝高さを中心部よりも高く形成することで、同じ高さの溝を形成する場合と比較して曲げに対する剛性を高めることができるとともに、ディスクの挿入時や排出時に第１の絞り溝１３６Ａの両端部においてディスクを案内することができるので、ディスクの記録面を損傷させることなく、スムーズな動作を行わせることができる。
なお、蓋体１３０は、アルミ合金又はマグネシュウム合金を用い、蓋体１３０の内周面全体には、ウレタンビーズ配合のフッ素系コーティングを塗布している。なお、コーティングは、絞り部１３３のディスクとの接触面だけに施してもよい。コーティング材として、ビーズ径が２０ミクロンのウレタン樹脂に、ウレタン樹脂に対する配合比が５％のフッ素と、ウレタン樹脂に対する配合比が１．０〜１．５％のシリコンとを配合したコーティング材を用いることが好ましい。また、コーティング材の摩擦係数は、０．２〜０．６が好ましく、０．５５以下がより好ましい。
【００２５】
次に図３を用いてベゼルについて説明する。
ベゼル１４０には挿入口１４１が設けられ、挿入口１４１は中央部が最も幅が広く両端部にいくに従って幅が狭くなるように形成されている。ベゼル１４０のシャーシ外装側の面には、挿入口１４１に沿って、切り込みが設けられたフェルト１４２が貼着されている。このフェルト１４２は、ディスクを挿入口１４１から装着する時、または挿入口１４１から排出する時には、ディスクの進行方向に折り曲げられる。
【００２６】
次に、図４から図８を用いてシャーシ外装について説明する。
ベース本体１０には、深底部２１０と浅底部３１０が形成され、深底部２１０は、浅底部３１０側の側壁２１１と、浅底部３１０と連接しない対向側の側壁２１２と、リア面側の側壁２１３によって形成され、浅底部３１０は、深底部２１１側の側壁２１１と連接する連接端３１１と、深底部２１０と連接しない対向端３１２と、連接端３１１と対向端３１２とに隣接する傾斜端３１３とによって形成されている。
深底部２１０においては、側壁２１３の中央側にはフック受け用開口２１４が、側壁２１２のフロント側にはフック受け用開口２１５が、側壁２１２のリア側にはフック受け用開口２１６が、それぞれ設けられている。また、側壁２１３の両端には、深底部２１０の面と平行な連結片２１７、２１８を形成している。
浅底部３１０においては、対向端３１２に、蓋体１３０側に延出させた立ち上げ部３１４を形成し、立ち上げ部３１４の上端に、深底部２１０側に延出させた連結片３１５、３１６を形成している。連結片３１５は対向端３１２のフロント面側に、連結片３１６は傾斜端３１３と連接する対向端３１２端部に、それぞれ設けている。また、傾斜端３１３の一部には、蓋体１３０と当接する立ち上げ部３１７を形成している。
蓋体１３０には、フロント面側を除く他の端部に、壁部１３７を形成している。そしてリア面側の壁部１３７の中央部には、フック受け用開口２１４と対応する位置にフック１３８Ａを設けている。また、蓋体１３０の深底部２１０側の側壁１３７には、ベース本体１０の側壁２１２のフック受け用開口２１５、２１６と係合するフック１３８Ｂ、１３８Ｃを設けている。ここでフック１３８Ａは、端部をベース本体１０の中心方向（フロント面側）に折り曲げて構成されており、フック１３８Ｂ、１３８Ｃは、端部をベース本体１０の中心方向に折り曲げるとともに、フロント面側にも突起を形成している。なお、図示のように、フック１３８Ｂとフック１３８Ｃとの間には、端部をベース本体１０の中心方向に折り曲げて構成されたフックを更に設けることが好ましい。
【００２７】
上記構成において、特に連結片３１５とビス孔１３１Ａとをビス止めにより連結し、連結片３１６とビス孔１３１Ｂとをビス止めにより連結し、連結片２１７とビス孔１３１Ｃとをビス止めにより連結することで、浅底部３１０における剛性を高めることができる。また、傾斜端３１３に有する立ち上げ部３１７によって更に浅底部３１０の剛性を高めることができる。
また、フック１３８Ａをフック受け用開口２１４に係合し、フック１３８Ｂをフック受け用開口２１５に係合し、フック１３８Ｃをフック受け用開口２１６に係合することで、特にチャッキング時における蓋体１３０の浮き上がりを防止することができる。特に、フック１３８Ｂ、１３８Ｃには、ベース本体１０の中心方向への折り曲げとフロント面側への突起とを形成しているので、蓋体１３０と側壁２１２とを強固に締結することができる。
【産業上の利用可能性】
【００２８】
本発明のディスク装置は、表示手段と入力手段と演算処理手段などを一体化した、いわゆるノート型パソコン本体に内蔵されるディスク装置として特に有用である。
【図面の簡単な説明】
【００２９】
【図１】本実施例によるディスク装置のベース本体の要部平面図
【図２】同ディスク装置の上面図
【図３】同ディスク装置のシャーシ外装のフロント面に装着されるベゼルの正面図
【図４】同ディスク装置のシャーシ外装の分解斜視図
【図５】同ディスク装置のシャーシ外装の分解背面図
【図６】同ディスク装置のシャーシ外装の背面図
【図７】同ディスク装置のシャーシ外装の分解側面図
【図８】同ディスク装置のシャーシ外装の側面図
【符号の説明】
【００３０】
１０    ベース本体
１１    ディスク挿入口
３０    トラバース
１３０    蓋体
２１０    深底部
３１０    浅底部
【図１】
2006107589.tif 000003
【図２】
2006107589.tif 000004
【図３】
2006107589.tif 000005
【図４】
2006107589.tif 000006
【図５】
2006107589.tif 000007
【図６】
2006107589.tif 000008
【図７】
2006107589.tif 000009
【図８】
2006107589.tif 000010
【手続補正書】
【提出日】平成18年1月20日(2006.1.20)
【手続補正１】
【補正対象書類名】特許請求の範囲
【補正対象項目名】全文
【補正方法】変更
【補正の内容】
【特許請求の範囲】
【請求項１】
ベース本体と蓋体とからシャーシ外装を構成し、前記シャーシ外装のフロント面には、ディスクを直接挿入するディスク挿入口を形成し、前記ベース本体には深底部と浅底部とを形成し、前記浅底部を前記深底部の側部に配置し、前記蓋体によって前記深底部と前記浅底部とを覆うディスク装置であって、
前記蓋体には、前記フロント面側を除く他の端部に側壁を形成し、
前記蓋体のフロント面側端部には、前記ベース本体側に突出させた所定長さの第１の絞り溝と、前記第１の絞り溝と反対側に突出させた所定長さの第２の絞り溝とを形成し、
前記第１の絞り溝を、中心部から端部に向かって漸次高くなるように形成したことを特徴とするディスク装置。
【請求項２】
前記蓋体の中央部には開口部を備え、前記開口部外周には前記ベース本体側に突出させたリング状絞り部を形成し、前記リング状絞り部を、前記開口部の外周に設けた第１のリング状絞り部と、前記第１のリング状絞り部の外周に設けた第２のリング状絞り部によって構成し、前記第１のリング状絞り部の突出高さを、前記第２のリング状絞り部の突出高さよりも高く形成したことを特徴とする請求項１に記載のディスク装置。
【請求項３】
前記ベース本体のフロント面側には、前記深底部と前記浅底部とに跨ってフロントガイダーを備え、前記フロントガイダーを、前記深底部と締結するとともに前記浅底部と締結することを特徴とする請求項１に記載のディスク装置。
【請求項４】
前記浅底部が、前記深底部と連接する連接端と、前記深底部と連接しない対向端と、前記連接端と前記対向端とに隣接する傾斜端とを有し、前記対向端に、前記蓋体側に延出させた立ち上げ部を形成し、前記立ち上げ部の上端に、前記深底部側に延出させた連結片を形成し、前記連結片によって前記ベース本体と前記蓋体とを締結することを特徴とする請求項１に記載のディスク装置。
【請求項５】
前記連結片を、前記傾斜端と連接する対向端端部に設けたことを特徴とする請求項４に記載のディスク装置。
【請求項６】
前記傾斜端の一部に、前記蓋体と当接する立ち上げ部を形成したことを特徴とする請求項４に記載のディスク装置。
【請求項７】
前記深底部のリア面側の側壁上端に、前記深底部面と平行な連結片を形成し、前記連結片によって前記ベース本体と前記蓋体とを締結することを特徴とする請求項１に記載のディスク装置。
【請求項８】
前記連結片を、前記浅底部側の隅部に設けたことを特徴とする請求項７に記載のディスク装置。
【請求項９】
前記蓋体のリア面側の側壁中央部に、前記ベース本体のリア面側の側壁と係合するフックを設けたことを特徴とする請求項１に記載のディスク装置。
【請求項１０】
前記蓋体の前記深底部側の側壁に、前記ベース本体の側壁と係合するフックを設けたことを特徴とする請求項１に記載のディスク装置。
【手続補正２】
【補正対象書類名】明細書
【補正対象項目名】全文
【補正方法】変更
【補正の内容】
【発明の詳細な説明】
【技術分野】
【０００１】
本発明は、ＣＤやＤＶＤなどのディスク状の記録媒体への記録、または再生を行うディスク装置に関し、特に外部からディスクを直接挿入し、または直接排出できる、いわゆるスロットイン方式のディスク装置に関する。
【背景技術】
【０００２】
従来のディスク装置は、トレイまたはターンテーブル上にディスクを載置し、このトレイやターンテーブルを装置本体内に装着するローディング方式が多く採用されている。
しかし、このようなローディング方式では、トレイやターンテーブルが必要な分、ディスク装置本体を薄型化するには限度がある。
一方、スロットイン方式のディスク装置としては、ディスク面に搬送ローラを当接させてディスクを引き込む方式が提案されている（例えば特許文献１）。
また、薄型化と小型化を図ることができるスロットイン方式のディスク装置として、ディスク挿入口側にトラバースを、コネクタ側にプリント基板をそれぞれ配置し、スピンドルモータがベース本体の中央部に位置し、ピックアップの往復動範囲がスピンドルモータよりもディスク挿入口側に位置し、ピックアップの往復移動方向がディスクの挿入方向と異なるようにトラバースを配設して動作させ、スピンドルモータをベース本体側または蓋体側に近接させる装置がある（例えば特許文献２）。
【特許文献１】特開平７−２２０３５３号公報
【特許文献２】特開２００２−３５２４９８号公報
【発明の開示】
【発明が解決しようとする課題】
【０００３】
しかし、例えば特許文献１で提案されているようなスロットイン方式では、ディスク直径より長い搬送ローラを用いるために、装置幅を広くしなければならず、さらにこの搬送ローラによって厚みも増してしまう。
従って、このようなスロットイン方式のディスク装置では、ディスク装置本体の薄型化や小型化を図ることは困難である。
一方、特許文献２における装置では、薄型化と小型化を図ることができるが、更に薄型化と小型化、軽量化を図るために、シャーシ外装にアルミ合金やマグネシュウム合金を利用する場合には、シャーシ外装の剛性を高める必要がある。
【０００４】
そこで本発明は、例えばアルミ合金やマグネシュウム合金のような剛性の低い材料を用いた場合であっても、十分な剛性が得られ、シャーシ外装の変形による動作不良を防止することができるディスク装置を提供することを目的とする。
【課題を解決するための手段】
【０００５】
請求項１記載の本発明のディスク装置は、ベース本体と蓋体とからシャーシ外装を構成し、前記シャーシ外装のフロント面には、ディスクを直接挿入するディスク挿入口を形成し、前記ベース本体には深底部と浅底部とを形成し、前記浅底部を前記深底部の側部に配置し、前記蓋体によって前記深底部と前記浅底部とを覆うディスク装置であって、前記蓋体には、前記フロント面側を除く他の端部に側壁を形成し、前記蓋体のフロント面側端部には、前記ベース本体側に突出させた所定長さの第１の絞り溝と、前記第１の絞り溝と反対側に突出させた所定長さの第２の絞り溝とを形成し、前記第１の絞り溝を、中心部から端部に向かって漸次高くなるように形成したことを特徴とする。
請求項２記載の本発明は、請求項１に記載のディスク装置において、前記蓋体の中央部には開口部を備え、前記開口部外周には前記ベース本体側に突出させたリング状絞り部を形成し、前記リング状絞り部を、前記開口部の外周に設けた第１のリング状絞り部と、前記第１のリング状絞り部の外周に設けた第２のリング状絞り部によって構成し、前記第１のリング状絞り部の突出高さを、前記第２のリング状絞り部の突出高さよりも高く形成したことを特徴とする。
請求項３記載の本発明は、請求項１に記載のディスク装置において、前記ベース本体のフロント面側には、前記深底部と前記浅底部とに跨ってフロントガイダーを備え、前記フロントガイダーを、前記深底部と締結するとともに前記浅底部と締結することを特徴とする。
請求項４記載の本発明は、請求項１に記載のディスク装置において、前記浅底部が、前記深底部と連接する連接端と、前記深底部と連接しない対向端と、前記連接端と前記対向端とに隣接する傾斜端とを有し、前記対向端に、前記蓋体側に延出させた立ち上げ部を形成し、前記立ち上げ部の上端に、前記深底部側に延出させた連結片を形成し、前記連結片によって前記ベース本体と前記蓋体とを締結することを特徴とする。
請求項５記載の本発明は、請求項４に記載のディスク装置において、前記連結片を、前記傾斜端と連接する対向端端部に設けたことを特徴とする。
請求項６記載の本発明は、請求項４に記載のディスク装置において、前記傾斜端の一部に、前記蓋体と当接する立ち上げ部を形成したことを特徴とする。
請求項７記載の本発明は、請求項１に記載のディスク装置において、前記深底部のリア面側の側壁上端に、前記深底部面と平行な連結片を形成し、前記連結片によって前記ベース本体と前記蓋体とを締結することを特徴とする。
請求項８記載の本発明は、請求項７に記載のディスク装置において、前記連結片を、前記浅底部側の隅部に設けたことを特徴とする。
請求項９記載の本発明は、請求項１に記載のディスク装置において、前記蓋体のリア面側の側壁中央部に、前記ベース本体のリア面側の側壁と係合するフックを設けたことを特徴とする。
請求項１０記載の本発明は、請求項１に記載のディスク装置において、前記蓋体の前記深底部側の側壁に、前記ベース本体の側壁と係合するフックを設けたことを特徴とする。
【発明の効果】
【０００６】
本発明によれば、シャーシ外装の剛性を構造的に確保することでシャーシ外装の変形による動作不良を防止することができ、更に薄型化と小型化、軽量化を図ることができる。
【発明を実施するための最良の形態】
【０００７】
本発明の第１の実施の形態によるディスク装置は、蓋体には、フロント面側を除く他の端部に側壁を形成し、蓋体のフロント面側端部には、ベース本体側に突出させた所定長さの第１の絞り溝と、第１の絞り溝と反対側に突出させた所定長さの第２の絞り溝とを形成し、第１の絞り溝を、中心部から端部に向かって漸次高くなるように形成したものである。本実施の形態によれば、側壁を持たない蓋体のフロント面側端部に、所定長さの第１の絞り溝と、この第１の絞り溝と反対側に突出させた所定長さの第２の絞り溝とを形成することで、蓋体のフロント面側端部の曲げに対する剛性を高めることができる。曲げに対する剛性を高めることで、特にディスクのチャッキング動作を安定して行わせることができる。また、本実施の形態によれば、端部における溝高さを高く形成することで、同じ高さの溝を形成する場合と比較して曲げに対する剛性を高めることができるとともに、ディスクの挿入時や排出時に第１の絞り溝の両端部においてディスクを案内することができるので、ディスクの記録面を損傷させることなく、スムーズな動作を行わせることができる。
本発明の第２の実施の形態は、第１の実施の形態によるディスク装置において、開口部外周にはベース本体側に突出させたリング状絞り部を形成し、リング状絞り部を、開口部の外周に設けた第１のリング状絞り部と、第１のリング状絞り部の外周に設けた第２のリング状絞り部によって構成し、第１のリング状絞り部の突出高さを、第２のリング状絞り部の突出高さよりも高く形成したものである。本実施の形態によれば、二重のリング状絞り部によって蓋体の曲げに対する剛性を高めることができるとともに、仮にディスクのチャッキング時に蓋体に変形が生じたとしても、第１のリング状絞り部が第２のリング状絞り部よりも高いため、ディスクを確実に押さえ込み、安定したチャッキング動作を行わせることができる。
本発明の第３の実施の形態は、第１の実施の形態によるディスク装置において、ベース本体のフロント面側には、深底部と浅底部とに跨ってフロントガイダーを備え、フロントガイダーを、深底部と締結するとともに浅底部と締結するものである。本実施の形態によれば、ディスクを案内するためのフロントガイダーを利用して、浅底部の変形を防止することができる。
本発明の第４の実施の形態は、第１の実施の形態によるディスク装置において、対向端に、蓋体側に延出させた立ち上げ部を形成し、立ち上げ部の上端に、深底部側に延出させた連結片を形成し、連結片によってベース本体と蓋体とを締結するものである。本実施の形態によれば、蓋体との連結によって特に浅底部の剛性を高めることができる。
本発明の第５の実施の形態は、第４の実施の形態によるディスク装置において、連結片を、傾斜端と連接する対向端端部に設けたものである。本実施の形態によれば、更に浅底部の剛性を高めることができ、特にチャッキング時における蓋体の浮き上がりを防止することができる。
本発明の第６の実施の形態は、第４の実施の形態によるディスク装置において、傾斜端の一部に、蓋体と当接する立ち上げ部を形成したものである。本実施の形態によれば、傾斜端における剛性を高めることができる。
本発明の第７の実施の形態は、第１の実施の形態によるディスク装置において、深底部のリア面側の側壁上端に、深底部面と平行な連結片を形成し、連結片によってベース本体と蓋体とを締結するものである。本実施の形態によれば、特にチャッキング時における蓋体の浮き上がりを防止することができる。
本発明の第８の実施の形態は、第７の実施の形態によるディスク装置において、連結片を、浅底部側の隅部に設けたものである。本実施の形態によれば、特に浅底部の剛性を高めることができる。
本発明の第９の実施の形態は、第１の実施の形態によるディスク装置において、蓋体のリア面側の側壁中央部に、ベース本体のリア面側の側壁と係合するフックを設けたものである。本実施の形態によれば、特にチャッキング時における蓋体の浮き上がりを防止することができる。
本発明の第１０の実施の形態は、第１の実施の形態によるディスク装置において、蓋体の深底部側の側壁に、ベース本体の側壁と係合するフックを設けたものである。本実施の形態によれば、特にチャッキング時における蓋体の浮き上がりを防止することができる。
【実施例】
【０００８】
以下本発明の一実施例によるディスク装置について説明する。
図１は本実施例によるディスク装置のベース本体の要部平面図、図２は同ディスク装置の上面図、図３は同ディスク装置のシャーシ外装のフロント面に装着されるベゼルの正面図、図４は同ディスク装置のシャーシ外装の分解斜視図、図５は同ディスク装置のシャーシ外装の分解背面図、図６は同ディスク装置のシャーシ外装の背面図、図７は同ディスク装置のシャーシ外装の分解側面図、図８は同ディスク装置のシャーシ外装の側面図である。
本実施例によるディスク装置は、ベース本体と蓋体とからシャーシ外装が構成され、このシャーシ外装のフロント面にベゼルが装着される。また本実施例によるディスク装置は、図３に示すベゼルに設けたディスク挿入口からディスクを直接挿入するスロットイン方式のディスク装置である。
【０００９】
図１に示すように、ディスクへの記録再生機能やディスクのローディング機能を行う各部品は、ベース本体１０に装着される。
ベース本体１０には、深底部２１０と浅底部３１０が形成され、浅底部３１０によってフロント面からリア面に至るウイング部が形成されている。
ベース本体１０のフロント側にはディスクを直接挿入するディスク挿入口１１を形成し、ベース本体１０のリア面の端部にはコネクタ１２を配設している。ベース本体１０のディスク挿入口１１側にはトラバース３０が配置され、ベース本体１０のコネクタ１２側にはリアベース１３が配置されている。トラバース３０とリアベース１３とは互いが重ならないように配置されている。リアベース１３のベース本体１０面側にはプリント基板１４が設けられている。
【００１０】
トラバース３０は、スピンドルモータ３１とピックアップ３２とピックアップ３２を移動させる駆動手段３３とを保持している。スピンドルモータ３１はトラバース３０の一端側に設けられ、ピックアップ３２はトラバース３０の一端側から他端側までを移動可能に設けられている。またピックアップ３２は停止時にはトラバース３０の他端側に配置される。駆動手段３３は、駆動モータと、ピックアップ３２を摺動させる一対のレールと、駆動モータの駆動をピックアップ３２に伝達する歯車機構とを有し、一対のレールはトラバース３０の一端側と他端側とを連接するように両側部に配置されている。駆動モータはディスク挿入口１１側のレールの外方に、駆動軸がレールと平行になるように配置されている。歯車機構は、この駆動モータとディスク挿入口１１側のレールとの間の空間に配置されている。
【００１１】
トラバース３０には、スピンドルモータ３１がベース本体１０の中央部に位置し、またピックアップ３２の往復動範囲がスピンドルモータ３１よりもディスク挿入口１１側に位置し、またピックアップ３２の往復移動方向がディスクの挿入方向と異なるように配設されている。ここで、ピックアップ３２の往復移動方向とディスクの挿入方向とは、４０〜４５度の角度としている。
トラバース３０は、一対のインシュレータ３４Ａ、３４Ｂによってベース本体１０に支持されている。
一対のインシュレータ３４Ａ、３４Ｂは、スピンドルモータ３１の位置よりもピックアップ３２の静止位置側に配設し、ピックアップ３２の静止位置よりもディスク挿入口１１側の位置に配設することが好ましい。本実施例では、インシュレータ３４Ａはディスク挿入口１１の内側近傍の一端側に、インシュレータ３４Ｂはディスク挿入口１１の内側近傍の中央部に設けている。インシュレータ３４Ａ、３４Ｂは、弾性材料からなるダンパー機構を備えている。インシュレータ３４Ａ、３４Ｂは、このダンパー機構によって、トラバース３０がベース本体１０から離間する方向に変位することができる。
【００１２】
トラバース３０のベース本体１０側の面には、リブ３５を設けている。このリブ３５は、ディスク挿入口１１と反対のレールの外方であって、ピックアップ３２の静止位置側に設けている。またこのリブ３５は、トラバース３０をベース本体１０側に近接させた時に、ベース本体１０に当接することで、インシュレータ３４Ａ、３４Ｂの位置でトラバース３０をベース本体１０から離間する方向に変位させるに十分な高さを有している。なお、本実施例では、リブ３５をトラバース３０のベース本体１０側の面に設けた場合で説明したが、ベース本体１０のトラバース３０側の面に設けてもよい。またトラバース３０のベース本体１０側の面と、ベース本体１０のトラバース３０側の面の双方に設けてもよい。また本実施例ではトラバース３０のベース本体１０側への近接動作を利用して、インシュレータ３４Ａ、３４Ｂ側のトラバース３０を上昇させる構成としたが、インシュレータ３４Ａ、３４Ｂの位置でのトラバース３０の高さを変更する他の手段、例えばインシュレータ３４Ａ、３４Ｂの高さを変更する手段によって実現することもできる。
なお、トラバース３０は、インシュレータ３４Ａ、３４Ｂを支点として、スピンドルモータ３１をベース本体１０と近接離間させるように動作する。
【００１３】
以下に、このトラバース３０を動作させるカム機構を備えたメインスライダー４０とサブスライダー５０について説明する。
トラバース３０を変位させるカム機構は、メインスライダー４０とサブスライダー５０にそれぞれ設けている。ここで、メインスライダー４０とサブスライダー５０とは、スピンドルモータ３１の側方に位置するように配設されている。メインスライダー４０は、その一端がベース本体１０のフロント面側、その他端がベース本体１０のリア面側となる方向に配設されている。また、サブスライダー５０は、トラバース３０とリアベース１３との間に、メインスライダー４０と直交する方向に配設されている。
トラバース３０を変位させるカム機構は、第１のカム機構４１と第２のカム機構５１によって構成される。第１のカム機構４１は、メインスライダー４０のスピンドルモータ３１側の面に、第２のカム機構５１は、サブスライダー５０のスピンドルモータ３１側の面にそれぞれ設けられている。
なお、メインスライダー４０とトラバース３０との間にはベース部材１５が設けられ、サブスライダー５０とトラバース３０との間にはベース部材１６が設けられている。ここでベース部材１５とベース部材１６はベース本体１０に固定され、ベース部材１５に設けた縦溝によってトラバース３０のカムピン３６を位置規制し、ベース部材１６に設けた縦溝によってトラバース３０のカムピン３７を位置規制している。
ここで、ベース部材１６とサブスライダー５０とは、第３のカム機構（図１では図示せず）によって連結している。そしてこの第３のカム機構は、第２のカム機構５１によってトラバース３０をベース本体１０に対して離間する方向に移動させる時に、サブスライダー５０をベース本体１０に対して離間する方向に移動させる機能を備えている。
【００１４】
メインスライダー４０の一端側にはローディングモータ６０が配設されている。ローディングモータ６０の駆動軸６１とメインスライダー４０の一端側とは歯車機構を介して連結されている。なお、ローディングモータ６０の駆動軸６１には歯車機構を構成するウオームギア６２が設けられている。
ローディングモータ６０は、その本体がディスク挿入口１１の中央部に、駆動軸６１がディスク挿入口１１の端部側に、それぞれが位置するように配設されている。
そして、ローディングモータ６０は、その駆動軸６１側がディスク挿入口１１に挿入されるディスクに近接するように傾けてあり、ローディングモータ６０本体のディスク挿入口１１側がディスクに近接するように傾けてある。すなわち、ローディングモータ６０は、図１に示す「Ａ」の位置が、最も蓋体側に突出した状態となるように設けられている。このようにローディングモータ６０を傾斜させて設置することで、ディスクの取り出し時にディスク面に傾きが生じたとしても、ディスク外周端がローディングモータ６０本体の「Ａ」の箇所にあたることになり、ディスク内周面がローディングモータ６０本体にあたることを防止することができる。なお、ローディングモータ６０は、その駆動軸６１側がディスク挿入口１１に挿入されるディスクに近接するように傾けるか、又はローディングモータ６０本体のディスク挿入口１１側がディスクに近接するように傾けるか、いずれか一方の傾きでも効果はある。
【００１５】
このローディングモータ６０の駆動によってメインスライダー４０を長手方向に摺動させることができる。またメインスライダー４０は、カムレバー７０によってサブスライダー５０と連結している。
カムレバー７０は回動支点７１を有し、ピン７２及びピン７３でメインスライダー４０の上面に設けたカム溝と係合し、ピン７４でサブスライダー５０の上面に設けたカム溝と係合している。
このカムレバー７０は、メインスライダー４０の第１のカム機構４１によってトラバース３０を変位させるタイミングで、サブスライダー５０を移動させ、サブスライダー５０の移動によって第２のカム機構５１を動作させてトラバース３０を変位させる機能を有する。
【００１６】
以上説明した、コネクタ１２、トラバース３０、リアベース１３、プリント基板１４、インシュレータ３４Ａ、３４Ｂ、メインスライダー４０、サブスライダー５０、ベース部材１５、ベース部材１６、及びローディングモータ６０は、ベース本体１０の深底部２１０に設けられ、これらの部材と蓋体との間に、ディスク挿入空間を形成する。
【００１７】
次に、ディスクを挿入する時にディスクを支持するガイド部材と、ディスクを挿入する時に動作するレバー部材について説明する。
深底部２１０のディスク挿入口１１近傍の一端側には、所定長さの第１のディスクガイド１７が設けられている。この第１のディスクガイド１７は、ディスク挿入側から見た断面が、「コ」の字状の溝を有している。この溝によってディスクは支持される。
一方、ディスク挿入口１１の他端側のベース本体１０内には、引き込みレバー８０が設けられ、この引き込みレバー８０の可動側端部に第２のディスクガイド８１を備えている。第２のディスクガイド８１は、円筒状のローラで構成され、引き込みレバー８０の可動側端部に回動自在に設けられている。また、第２のディスクガイド８１のローラ外周には溝が形成され、この溝によってディスクは支持される。
引き込みレバー８０は、可動側端部が固定側端部よりもディスク挿入口１１側で動作するように配置され、固定側端部に回動支点８２を有している。
また、引き込みレバー８０の裏面（ベース本体１０側の面）の可動側端部と固定側端部との間には長溝８３が設けられている。一方、引き込みレバー８０の表面の可動側端部と固定側端部との間には所定長さの第３のディスクガイド８４が設けられている。
【００１８】
引き込みレバー８０は、サブレバー９０によって動作する。
サブレバー９０は、可動側の一端に凸部９１を備え、他端側に回動支点９２を備えている。サブレバー９０の凸部９１は、引き込みレバー８０の長溝８３内を摺動する。また、サブレバー９０の回動支点９２は、メインスライダー４０上に位置している。なお、回動支点９２は、メインスライダー４０とは連動せず、ベース本体１０にベース部材１５を介して固定されている。またサブレバー９０の回動支点９２よりも凸部９１側の下面には、ピン９３を備えている。このピン９３は、メインスライダー４０の上面に設けられたカム溝内を摺動する。従って、サブレバー９０は、メインスライダー４０の移動にともなって角度が変更され、このサブレバー９０の角度の変更によって引き込みレバー８０の旋回角度を変更する。すなわち、サブレバー９０の動作によって、引き込みレバー８０の第２のディスクガイド８１がスピンドルモータ３１に近接離間するように動作する。なお、引き込みレバー８０の可動側端部に近い側の長溝８３の端部には、サブレバー９０の旋回方向に延びる溝８３Ａが設けられている。この溝８３Ａによって、第２のディスクガイド８１がディスクを最も引き込んだ時に、サブレバー９０の旋回角度にばらつきが発生しても、引き込みレバー８０の旋回角度にはばらつきが発生せず、ディスク引き込み量を安定させることができる。
【００１９】
ベース本体１０の引き込みレバー８０と異なる側部には、排出レバー１００が設けられている。この排出レバー１００の一端側の可動側端部にはガイド１０１が設けられている。また、排出レバー１００の他端側には、回動支点１０２が設けられている。また、排出レバー１００の可動側端部には、ガイド１０１よりもリア面側に当接部１０３が設けられている。また、排出レバー１００には、弾性体１０４が設けられている。この弾性体１０４の一端は排出レバー１００に固定されており、他端はリアベース１３に固定されている。当接部１０３は、弾性体１０４によってリア面側に引き込まれた場合に、リアベース１３の当接部１３Ａと当接する。また排出レバー１００は、弾性体１０４の弾性力によってディスク挿入口１１側に引き出される。なお、排出レバー１００は、リンクアーム１０５と排出スライダー１０６を介してメインスライダー４０の動きと連動して動作する。ここでリンクアーム１０５は、メインスライダー４０と排出スライダー１０６とを連接し、排出レバー１００はカムピンによって排出スライダー１０６のカム溝と係合している。
ベース本体１０のリア面側には規制レバー１１０が設けられている。この規制レバー１１０はリア面側端部を回動支点１１１とし、可動側端部にガイド１１２を備えている。この規制レバー１１０は、弾性体１１３によってガイド１１２側が常にフロント側に突出するように付勢されている。また、この規制レバー１１０は所定位置でリミットスイッチを動作させる。すなわち、ディスクが所定位置まで挿入されると、リミットスイッチがオフし、ローディングモータ６０を駆動する。このローディングモータ６０の駆動によって、メインスライダー４０が摺動する。
また、排出レバー１００と同じ側のベース本体１０の側部には、ガイドレバー１８０が設けられている。ガイドレバー１８０は、リア面側を回動支点１８１とし、可動側にガイド１８２を備えている。このガイドレバー１８０は、弾性体１８３によってガイド１８２側がディスク側に突出するように付勢されている。また、このガイドレバー１８０は、リンクアーム１０５と排出スライダー１０６を介してメインスライダー４０と連動し、このメインスライダー４０の動きに応じて、ガイド１８２側がディスクから離間するように動作する。
【００２０】
またスピンドルモータ３１の近傍のトラバース３０には開口部を備え、この開口部には、ベース本体１０から蓋体に向かって突出したピン１８を設けている。このピン１８は、トラバース３０が最もベース本体１０側に移動した状態では、スピンドルモータ３１のハブよりも蓋体側に突出する高さであり、またトラバース３０がスピンドルモータ３１の駆動状態（再生録音可能な作動状態）では、スピンドルモータ３１のハブよりもベース本体１０側に引き込んだ高さである。ピン１８は、スピンドルモータ３１に装着されるディスクの中心部の非記録面に対応する位置であって、スピンドルモータ３１よりもインシュレータ３４から離れた位置に設けることが好ましい。
【００２１】
また、ベース本体１０のフロント側には、フロントガイダー２１とトラバースフェルト２２が設けられている。フロントガイダー２１は、ディスク挿入口１１の一端側であって、引き込みレバー８０とディスク挿入口１１との間に配置されている。またこのフロントガイダー２１は、ローディングモータ６０や歯車機構、メインスライダー４０の一部を覆うように、これらの部材よりも蓋体側に設けられている。このフロントガイダー２１は、挿入されるディスクの記録面全面が接触しないように周囲にテーパーが設けられ、表面がウレタンフッ素コーティングされている。また、フロントガイダー２１は、深底部２１０とビス２１Ａによって締結するとともに浅底部３１０とビス２１Ｂによって締結している。このように、フロントガイダー２１を、深底部２１０及び浅底部３１０とビス２１Ａ、２１Ｂによって締結することで、浅底部３１０の変形を防止することができる。
一方、トラバースフェルト２２は、ディスク挿入口１１の他端側であって、トラバース３０のディスク挿入口１１側を一部覆うように、トラバース３０よりも蓋体側に設けられている。このトラバースフェルト２２は、挿入されるディスクの記録面全面が接触しないように中央部が凸状になっており、フェルト材で構成されている。フロントガイダー２１とトラバースフェルト２２は、第１のディスクガイド１７や第２のディスクガイド８１では十分にディスクを支持できない場合に、ディスクの面方向への傾きによって記録面に傷が付くのを防止することができる。なお、フロントガイダー２１をフェルト材で構成し、トラバースフェルト２２をウレタンフッ素コーティングしたものを用いてもよい。
【００２２】
次に、図２を用いて同ディスク装置の蓋体について説明する。
蓋体１３０の外縁部には、複数のビス孔１３１が設けられ、蓋体１３０は、ビスによってベース本体１０に取り付けられる。
蓋体１３０の中央部には、開口部１３２が設けられている。この開口部１３２は、ディスクの中心孔よりも大きな半径の円形開口である。従って、ディスクの中心孔に嵌合するスピンドルモータ３１のハブよりも大きな開口である。
開口部１３２の外周部には、ベース本体１０側に突出させたリング状絞り部１３３が形成されている。このリング状絞り部１３３は、開口部１３２の外周に設けた第１のリング状絞り部１３３Ａと、第１のリング状絞り部１３３Ａの外周に設けた第２のリング状絞り部１３３Ｂによって構成し、第１のリング状絞り部１３３Ａの突出高さを、第２のリング状絞り部１３３Ｂの突出高さよりも高く形成している。また、第２のリング状絞り部１３３Ｂの径方向の幅は、第１のリング状絞り部１３３Ａの径方向の幅よりも大きな寸法で形成している。このように、二重のリング状絞り部１３３Ａ、１３３Ｂによって蓋体１３０の曲げに対する剛性を高めることができるとともに、仮にディスクのチャッキング時に蓋体１３０に変形が生じたとしても、第１のリング状絞り部１３３Ａが第２のリング状絞り部１３３Ｂよりも高いため、ディスクを確実に押さえ込み、安定したチャッキング動作を行わせることができる。また開口部１３２には、絞り部１３３からディスク挿入口１１側に向かって先細り形状をした絞り部１３４が設けられている。この絞り部１３４によって、ベース本体１０側に凸状ガイドを形成する。
【００２３】
また蓋体１３０には、複数の絞り部１３５Ａ、１３５Ｂ、１３５Ｃが形成され、これらの絞り部１３５Ａ、１３５Ｂ、１３５Ｃによってベース本体１０側に凸状ガイドを形成している。
更に蓋体１３０のフロント面側端部には、ベース本体１０側に突出させた所定長さの第１の絞り溝１３６Ａと、第１の絞り溝１３６Ａと反対側に突出させた所定長さの第２の絞り溝１３６Ｂとを隣接して形成している。第１の絞り溝１３６Ａと第２の絞り溝１３６Ｂは、ディスクの幅に相当する長さで連続する溝である。ここで、第１の絞り溝１３６Ａは、中心部から端部に向かって漸次高くなうように形成している。
これらの絞り部１３５Ａ、１３５Ｂ、１３５Ｃ、及び絞り溝１３６Ａ、１３６Ｂは、スピンドルモータ３１に装着された状態でのディスクの外周端よりも外方で、開口部１３２よりもディスク挿入口１１側に設けている。これらの絞り部１３５Ａ、１３５Ｂ、１３５Ｃ、及び絞り溝１３６Ａによって形成される凸状ガイドによって、ディスク挿入口１１から挿入されるディスクがガイドされる。またこれら絞り部１３３、１３４、１３５Ａ、１３５Ｂ、１３５Ｃ、及び絞り溝１３６Ａ、１３６Ｂによって蓋体１３０の強度を高めている。なお、絞り部１３５Ｂと絞り部１３５Ｃとは連続した一つの絞りでもよいが、複数に分割することで蓋体１３０の強度を更に高めることができる。
【００２４】
また、本実施例は、側壁を持たない蓋体１３０のフロント面側端部に、所定長さの第１の絞り溝１３６Ａと、この第１の絞り溝１３６Ａと反対側に突出させた所定長さの第２の絞り溝１３６Ｂとを形成することで、蓋体１３０のフロント面側端部の曲げに対する剛性を高めることができる。そして、曲げに対する剛性を高めることで、特にディスクのチャッキング動作を安定して行わせることができる。また、本実施例は、第１の絞り溝１３６Ａを端部における溝高さを中心部よりも高く形成することで、同じ高さの溝を形成する場合と比較して曲げに対する剛性を高めることができるとともに、ディスクの挿入時や排出時に第１の絞り溝１３６Ａの両端部においてディスクを案内することができるので、ディスクの記録面を損傷させることなく、スムーズな動作を行わせることができる。
なお、蓋体１３０は、アルミ合金又はマグネシュウム合金を用い、蓋体１３０の内周面全体には、ウレタンビーズ配合のフッ素系コーティングを塗布している。なお、コーティングは、絞り部１３３のディスクとの接触面だけに施してもよい。コーティング材として、ビーズ径が２０ミクロンのウレタン樹脂に、ウレタン樹脂に対する配合比が５％のフッ素と、ウレタン樹脂に対する配合比が１．０〜１．５％のシリコンとを配合したコーティング材を用いることが好ましい。また、コーティング材の摩擦係数は、０．２〜０．６が好ましく、０．５５以下がより好ましい。
【００２５】
次に図３を用いてベゼルについて説明する。
ベゼル１４０には挿入口１４１が設けられ、挿入口１４１は中央部が最も幅が広く両端部にいくに従って幅が狭くなるように形成されている。ベゼル１４０のシャーシ外装側の面には、挿入口１４１に沿って、切り込みが設けられたフェルト１４２が貼着されている。このフェルト１４２は、ディスクを挿入口１４１から装着する時、または挿入口１４１から排出する時には、ディスクの進行方向に折り曲げられる。
【００２６】
次に、図４から図８を用いてシャーシ外装について説明する。
ベース本体１０には、深底部２１０と浅底部３１０が形成され、深底部２１０は、浅底部３１０側の側壁２１１と、浅底部３１０と連接しない対向側の側壁２１２と、リア面側の側壁２１３によって形成され、浅底部３１０は、深底部２１１側の側壁２１１と連接する連接端３１１と、深底部２１０と連接しない対向端３１２と、連接端３１１と対向端３１２とに隣接する傾斜端３１３とによって形成されている。
深底部２１０においては、側壁２１３の中央側にはフック受け用開口２１４が、側壁２１２のフロント側にはフック受け用開口２１５が、側壁２１２のリア側にはフック受け用開口２１６が、それぞれ設けられている。また、側壁２１３の両端には、深底部２１０の面と平行な連結片２１７、２１８を形成している。
浅底部３１０においては、対向端３１２に、蓋体１３０側に延出させた立ち上げ部３１４を形成し、立ち上げ部３１４の上端に、深底部２１０側に延出させた連結片３１５、３１６を形成している。連結片３１５は対向端３１２のフロント面側に、連結片３１６は傾斜端３１３と連接する対向端３１２端部に、それぞれ設けている。また、傾斜端３１３の一部には、蓋体１３０と当接する立ち上げ部３１７を形成している。
蓋体１３０には、フロント面側を除く他の端部に、側壁１３７を形成している。そしてリア面側の側壁１３７の中央部には、フック受け用開口２１４と対応する位置にフック１３８Ａを設けている。また、蓋体１３０の深底部２１０側の側壁１３７には、ベース本体１０の側壁２１２のフック受け用開口２１５、２１６と係合するフック１３８Ｂ、１３８Ｃを設けている。ここでフック１３８Ａは、端部をベース本体１０の中心方向（フロント面側）に折り曲げて構成されており、フック１３８Ｂ、１３８Ｃは、端部をベース本体１０の中心方向に折り曲げるとともに、フロント面側にも突起を形成している。なお、図示のように、フック１３８Ｂとフック１３８Ｃとの間には、端部をベース本体１０の中心方向に折り曲げて構成されたフックを更に設けることが好ましい。
【００２７】
上記構成において、特に連結片３１５とビス孔１３１Ａとをビス止めにより連結し、連結片３１６とビス孔１３１Ｂとをビス止めにより連結し、連結片２１７とビス孔１３１Ｃとをビス止めにより連結することで、浅底部３１０における剛性を高めることができる。また、傾斜端３１３に有する立ち上げ部３１７によって更に浅底部３１０の剛性を高めることができる。
また、フック１３８Ａをフック受け用開口２１４に係合し、フック１３８Ｂをフック受け用開口２１５に係合し、フック１３８Ｃをフック受け用開口２１６に係合することで、特にチャッキング時における蓋体１３０の浮き上がりを防止することができる。特に、フック１３８Ｂ、１３８Ｃには、ベース本体１０の中心方向への折り曲げとフロント面側への突起とを形成しているので、蓋体１３０と側壁２１２とを強固に締結することができる。
【産業上の利用可能性】
【００２８】
本発明のディスク装置は、表示手段と入力手段と演算処理手段などを一体化した、いわゆるノート型パソコン本体に内蔵されるディスク装置として特に有用である。
【図面の簡単な説明】
【００２９】
【図１】本実施例によるディスク装置のベース本体の要部平面図
【図２】同ディスク装置の上面図
【図３】同ディスク装置のシャーシ外装のフロント面に装着されるベゼルの正面図
【図４】同ディスク装置のシャーシ外装の分解斜視図
【図５】同ディスク装置のシャーシ外装の分解背面図
【図６】同ディスク装置のシャーシ外装の背面図
【図７】同ディスク装置のシャーシ外装の分解側面図
【図８】同ディスク装置のシャーシ外装の側面図
【符号の説明】
【００３０】
１０    ベース本体
１１    ディスク挿入口
３０    トラバース
１３０    蓋体
２１０    深底部
３１０    浅底部